(57)【要約】【課題】視聴者にとって関心の高い部分を動画像情報から抽出することが可能な視聴管理装置およびプログラムを提供する。【解決手段】視聴管理装置としての配信サーバは、端末が動画データを再生する度に、その視聴区間の情報を含んだ視聴区間データを取得する。そして、端末からダイジェストデータの要求を受付けると、記憶している視聴区間データに基づき、動画データにおいて、同じユーザによって再視聴された時間区間を累積した再視聴区間累積データを生成する。その後、この再視聴区間累積データに基づき、動画データから、再視聴された回数の多い時間区間をダイジェストデータとして抽出する。【選択図】図３
2008154166.tif 000002
【特許請求の範囲】
【請求項１】
視聴者が所望する時間区間の視聴が可能な動画像情報について、同じ視聴者により二度以上視聴された時間区間の区間情報を記憶する記憶手段と、
前記記憶手段に記憶されている前記区間情報に基づいて、前記動画像情報から所定の時間区間を抽出する抽出手段と、
を備えることを特徴とする視聴管理装置。
【請求項２】
請求項１に記載の視聴管理装置であって、
前記記憶手段は、前記視聴者により有効に二度以上視聴された時間区間の区間情報を記憶する、
ことを特徴とする視聴管理装置。
【請求項３】
請求項１または２に記載の視聴管理装置であって、
前記抽出手段は、同じ視聴者による所定回数以上の視聴に係る区間情報を、前記抽出する時間区間を決定する際に用いない、
ことを特徴とする視聴管理装置。
【請求項４】
視聴者が所望する時間区間の視聴が可能な動画像情報について、同じ視聴者により二度以上視聴された時間区間の区間情報を記憶する記憶手段、および、
前記記憶手段に記憶されている前記区間情報に基づいて、前記動画像情報から所定の時間区間を抽出する抽出手段、
としてコンピュータを機能させるプログラム。
【発明の詳細な説明】
【技術分野】
【０００１】
本発明は、視聴管理装置およびプログラムに関する。
【背景技術】
【０００２】
従来より、インターネット等の通信ネットワークを介して動画像情報（動画データ）を、視聴者が使用する端末に配信するシステムが実用化されている。
【０００３】
このようなシステムでは、動画データの概要を視聴者に把握させるために、動画データから所定の部分を要約（ダイジェスト）として抽出して配信することがある。
【０００４】
例えば、特許文献１には、動画データのうち、視聴者のコメントが多く付与された部分をダイジェストとして作成する技術が開示されている。
【特許文献１】特開２００４−３６４１８３号公報
【発明の開示】
【発明が解決しようとする課題】
【０００５】
本発明は、視聴者にとって関心の高い部分を動画像情報から抽出することが可能な視聴管理装置およびプログラムを提供することをその目的の一つとする。
【課題を解決するための手段】
【０００６】
上記課題を解決するため、請求項１に記載の視聴管理装置は、視聴者が所望する時間区間の視聴が可能な動画像情報について、同じ視聴者により二度以上視聴された時間区間の区間情報を記憶する記憶手段と、前記記憶手段に記憶されている前記区間情報に基づいて、前記動画像情報から所定の時間区間を抽出する抽出手段と、を備えることを特徴とする。
【０００７】
また、請求項２に記載の視聴管理装置は、請求項１に記載の視聴管理装置において、前記記憶手段が、前記視聴者により有効に二度以上視聴された時間区間の区間情報を記憶する、ことを特徴とする。
【０００８】
また、請求項３に記載の視聴管理装置は、請求項１または２に記載の視聴管理装置において、前記抽出手段が、同じ視聴者による所定回数以上の視聴に係る区間情報を、前記抽出する時間区間を決定する際に用いない、ことを特徴とする。
【０００９】
次に、請求項４に記載のプログラムは、視聴者が所望する時間区間の視聴が可能な動画像情報について、同じ視聴者により二度以上視聴された時間区間の区間情報を記憶する記憶手段、および、前記記憶手段に記憶されている前記区間情報に基づいて、前記動画像情報から所定の時間区間を抽出する抽出手段、としてコンピュータを機能させる。
【発明の効果】
【００１０】
本発明によれば、視聴者にとって関心の高い部分を動画像情報から抽出することができる。
【発明を実施するための最良の形態】
【００１１】
本発明の実施形態について、図面を参照しながら説明する。
【００１２】
図１は、動画データ配信システム１の構成例を表す図である。動画データ配信システム１では、視聴管理装置としての配信サーバ２と、パーソナルコンピュータ等の端末３とが、インターネット等の通信路を介して接続されている。この配信サーバ２は、動画データ（動画像情報）や、この動画データから作成したダイジェストデータ（要約動画像情報）を、端末３に対して配信する。
【００１３】
図２は、配信サーバ２の構成例を表すブロック図である。配信サーバ２は、図２に示すように、装置全体の制御を司る制御部２１と、端末３との通信を可能とする通信部２２と、ディスプレイ装置などで構成される表示部２３と、キーボードやマウスなどで構成される操作部２４と、ハードディスクなどで構成される記憶部２５と、を含むコンピュータとして構成されている。
【００１４】
制御部２１は、ＣＰＵ（マイクロプロセッサ等の中央演算装置）やＣＰＵの作業領域とされるＲＡＭ（ランダムアクセスメモリ）などを含んで構成される。記憶部２５は、制御部２１のＣＰＵの動作に必要なプログラムやデータを記憶している。このプログラムやデータは、ＣＤ−ＲＯＭ等の媒体に記録して流通させても良いし、インターネット等の通信路を介して流通させても良い。
【００１５】
図３は、配信サーバ２の機能構成例を表すブロック図である。また、図４は、配信サーバ２と端末３の動作例を表すフローチャートである。
【００１６】
配信サーバ２の制御部２１は、機能的に、動画データ配信部３１と、視聴区間受付部３２と、ダイジェスト配信部３５と、抽出部３６と、を有する。これらの構成要素は、制御部２１に含まれるＣＰＵのソフトウェア的な動作によって実現する。また、配信サーバ２の記憶部２５には、動画データが格納される動画データ格納領域４１と、後述する視聴区間データが格納される視聴区間データ格納領域４２とが設けられている。
【００１７】
配信サーバ２は、主に、端末３に動画データを配信して、端末３から視聴区間データを受付ける処理（動画データ配信処理）と、動画データからダイジェストデータを作成して、端末３に配信する処理（ダイジェストデータ配信処理）と、を実行する。以下、それぞれの処理に係る構成および動作を説明する。
【００１８】
［動画データ配信処理］
動画データ配信部３１は、端末３から動画データの要求を受付けると、記憶部２５の動画データ格納領域４１から動画データを読出し、端末３へ配信する。
【００１９】
動画データの受信した端末３は、この動画データを再生し、端末３を使用する視聴者（ユーザ）に動画データを視聴させる。動画データの再生方式には、例えば、動画データを受信しながらの再生が可能なストリーミング方式などを適用することができる。
【００２０】
この端末３では、ユーザからの操作に基づいて、動画データの再生を、ユーザの所望の時間位置から開始することが可能とされ、また、ユーザの所望の時間位置で終了することが可能とされている。以下、動画データの再生を開始する時間位置から再生を終了する時間位置までの時間区間を「視聴区間」という。この視聴区間は、動画データを構成する全体の時間区間の一部または全部を占めることになる。
【００２１】
また、端末３では、ユーザからの操作に基づいて、動画データを二度以上再生することが可能とされている。これは、例えば、受信後にＲＡＭやハードディスクなどの記憶部に保持されている動画データを再び再生することで実現できる。また、動画データを配信サーバ２から再び受信して再生しても良い。これにより、例えば、ユーザは、動画データの中で、一度視聴して気に入った時間区間などを二度以上視聴することができる。
【００２２】
さらに、端末３は、動画データを再生する度に、その視聴区間の情報を含んだ視聴区間データを配信サーバ２へ送信する。
【００２３】
視聴区間受付部３２は、端末３から送信された視聴区間データを受付けると、これを記憶部２５の視聴区間データ格納領域４２に格納する。
【００２４】
図５に、視聴区間データの内容例を示す。視聴区間データには、端末３のユーザを表す情報と、再生した動画データを表す情報と、動画データの再生を開始した時間位置（開始位置）の情報と、動画データの再生を終了した時間位置（終了位置）の情報と、動画データを再生した日時（視聴日時）の情報と、が含まれている。
【００２５】
なお、端末３は、動画データが有効に視聴された場合に、視聴区間データを配信サーバ２へ送信する。ここで、有効ではない視聴とは、例えば、早送りや巻戻しなど、動画データを通常の再生とは異なる態様で視聴した場合や、所定時間よりも短い時間で再生が終了した場合などを挙げることができ、このような場合、端末３は、視聴区間データを配信サーバ２へ送信しない。これにより、配信サーバ２が有する記憶部２５には、動画データが有効に視聴された場合の視聴区間データのみが格納される。
【００２６】
［ダイジェストデータ配信処理］
ダイジェスト配信部３５は、端末３からダイジェストデータの要求を受付けると、抽出部３６にダイジェストデータを作成させる。
【００２７】
まず、抽出部３６は、記憶部２５の動画データ格納領域４１に記憶されている視聴区間データに基づいて、再視聴区間累積データを生成する。この再視聴区間累積データは、動画データにおいて、同じユーザによって二度以上視聴された（再視聴された）時間区間を累積したデータとすることができる。
【００２８】
図６に、再視聴区間累積データの生成例を示す。この図の上側に示した帯状の図形は、動画データを構成する全体の時間区間（動画長さ）の中で、それぞれのユーザによって視聴された各回の視聴区間を表すものである。この図では、１つの帯状の図形が、１つの視聴区間データに対応している。
【００２９】
他方、この図の下側に示したグラフは、再視聴区間累積データの内容例を表すものであり、各ユーザが二度以上視聴した時間区間を足し合わせており、視聴位置毎の再視聴された回数が反映されている。ここで、ユーザにより二度以上視聴された時間区間とは、あるユーザにおける視聴区間のうち、各回の視聴を通じて最初に視聴された時間区間を除いた時間区間とすることができる。
【００３０】
具体的には、例えば、動画長さを所定の単位区間毎に区切り、視聴区間に含まれる単位区間にそれぞれ所定のポイントを与えるものとして、ユーザ毎に、視聴区間のポイントを足し合わせるとともに、全ての単位区間から該所定のポイントを差し引くことで（但し、０ポイントの単位区間からは差し引かない）、再視聴区間累積データを求めることができる。これにより、再視聴区間累積データには、再視聴された回数の多い時間区間が反映されることになる。
【００３１】
また、再視聴区間累積データを生成する際、同じユーザによる所定回数以上の視聴区間を用いないようにすることができる。これにより、再視聴区間累積データに含まれる時間区間が、特定のユーザによって再視聴されたものに偏ってしまうことが制限される。
【００３２】
以上のようにして生成された再視聴区間累積データは、制御部２１のＲＡＭや記憶部２５に記憶される。この場合の制御部２１のＲＡＭや記憶部２５が、本発明の記憶手段に相当する。
【００３３】
次に、抽出部３６は、生成した再視聴区間累積データに基づいて、記憶部２５の動画データ格納領域４１に格納されている動画データから、ダイジェストデータを作成する。この抽出部３６は、動画データの中から、再視聴された回数が所定回数よりも多い時間区間を抽出して、ダイジェストデータを作成する。
【００３４】
図７に、ダイジェストデータの作成例を示す。この図の上側に示したグラフは、再視聴区間累積データの内容例を表すものである。また、この図の下側に示した帯状の図形は、動画データを構成する全体の時間区間（動画長さ）の中で、ダイジェストデータとして抽出される時間区間の２つの例を表すものである。
【００３５】
ダイジェストデータの抽出例としては、例えば、再視聴区間累積データのうち、再視聴された回数が最大値に対して所定割合（例えば、最大値の半分）以上となる単位区間を抽出対象とすることができる。また、例えば、再視聴区間累積データのうち、再視聴された回数の多い順に単位区間を選出していき、選出された単位区間の合計が、動画長さに対して所定長さ（例えば、動画長さの４分の１）となるような抽出対象を決定することができる。また、このような条件を複数組み合わせるようにしても良い。
【００３６】
ダイジェストデータの作成は、例えば、動画データを構成する複数のフレームデータ（静止画データ）のうち、抽出対象とされた単位区間に対応するフレームデータを抽出することによって実現することができる。また、動画データに音声データが含まれている場合は、音声データのうち、抽出したフレームデータに対応する部分を抽出することができる。そして、このようにして抽出されたフレームデータ等を、例えば、抽出元の動画データと同じ形式など、端末３で視聴可能な形式にすることによって、ダイジェストデータを作成することができる。
【００３７】
その後、ダイジェスト配信部３５は、抽出部３６が作成したダイジェストデータを、端末３へ配信する。ダイジェストデータを受信した端末３は、このダイジェストデータを再生し、端末３のユーザにダイジェストデータを視聴させる。
【００３８】
以上、本実施形態について説明したが、本発明は上述の形式に限定されない。
【００３９】
上記実施形態では、配信サーバ２の抽出部３６は、端末３からダイジェストデータの要求を受付けた後に、再視聴区間累積データおよびダイジェストデータを生成していたが、これに限らず、予め再視聴区間累積データを生成して記憶部２５等に記憶させておいても良いし、予め再視聴区間累積データおよびダイジェストデータを生成して記憶部２５等に記憶させておいても良い。
【００４０】
また、上記実施形態では、再視聴区間累積データを生成する際に、視聴区間に含まれる単位区間にそれぞれ一定のポイントを与える例を示したが、これに限らず、再視聴区間累積データの生成には、種々の方法を採りうる。
【００４１】
例えば、図８（Ａ）に示すように、視聴区間の開始位置および終了位置となる単位区間だけに所定のポイントを与えるようにすることができる。例えば、視聴区間の開始位置および終了位置となる単位区間を１ポイントとし、それ以外の単位区間は０ポイントとすることができる。これにより、再視聴区間累積データには、再視聴された回数の多い時間区間の開始位置および終了位置が反映されることとなり、その間の時間区間を、ダイジェストデータとして抽出する時間区間とすることができる。
【００４２】
また、図８（Ｂ）に示すように、視聴区間の開始位置および終了位置となる単位区間に所定のポイントを与えるとともに、その間の単位区間のそれぞれには該所定のポイントとは異なる一定のポイントを与えるようにすることができる。例えば、視聴区間の開始位置および終了位置となる単位区間を２ポイントとし、その間の単位区間を１ポイントとすることができる。これにより、再視聴区間累積データには、再視聴された回数の多い時間区間と、その開始位置および終了位置とが反映されることとなり、その間の再視聴された回数が所定回数よりも多い時間区間を、ダイジェストデータとして抽出する時間区間とすることができる。
【００４３】
また、視聴区間に含まれる単位区間や、視聴区間の開始位置および終了位置となる単位区間などに所定のポイントを与える際には、例えば、視聴区間データに含まれる視聴日時がより新しい視聴区間に対して、より多くのポイントを与えるように重み付けを加えるようにしても良い。
【図面の簡単な説明】
【００４４】
【図１】動画データ配信システムの構成例を表す図である。
【図２】配信サーバ（視聴管理装置）の構成例を表すブロック図である。
【図３】配信サーバ（視聴管理装置）の機能構成例を表すブロック図である。
【図４】配信サーバ（視聴管理装置）と端末の動作例を表すフローチャートである。
【図５】視聴区間データの内容例を表す図である。
【図６】再視聴区間累積データの生成例を説明する図である。
【図７】ダイジェストデータの作成例を説明する図である。
【図８】再視聴区間累積データの生成例の変形例を説明する図である。
【符号の説明】
【００４５】
１  動画データ配信システム、２  配信サーバ（視聴管理装置）、３  端末、２１  制御部、２２  通信部、２３  表示部、２４  操作部、２５  記憶部、３１  動画データ配信部、３２  視聴区間受付部、３５  ダイジェスト配信部、３６  抽出部、４１  動画データ格納領域、４２  視聴区間データ格納領域。
【図１】
2008154166.tif 000003
【図２】
2008154166.tif 000004
【図３】
2008154166.tif 000005
【図４】
2008154166.tif 000006
【図５】
2008154166.tif 000007
【図６】
2008154166.tif 000008
【図７】
2008154166.tif 000009
【図８】
2008154166.tif 000010